(57)【要約】【課題】  多画面表示による使用者の利便性をより向上させた撮像装置を得る。【解決手段】  表示手段の表示領域を分割し、標準的な設定条件で得られるプレビュー画像と、標準的な設定条件と異なる条件のプレビュー画像を表示し、標準的な設定条件で得られるプレビュー画像と、標準的な設定条件と異なる条件のプレビュー画像のいずれかを選択する選択手段を備え、選択手段による選択に基づいて撮影記録時の撮影条件の設定を行う撮像装置とする。【選択図】        図７
2007081629.tif 000002
【特許請求の範囲】
【請求項１】
被写体光を導く撮像光学系と、該撮像光学系により導かれた被写体光を光電変換する撮像素子と、表示領域に複数の画像を表示可能な表示手段と、を有し、
前記表示手段の表示領域を分割し、標準的な設定条件で得られるプレビュー画像と、前記標準的な設定条件と異なる条件のプレビュー画像を表示し、
前記標準的な設定条件で得られるプレビュー画像と、前記標準的な設定条件と異なる条件のプレビュー画像のいずれかを選択する選択手段を備え、前記選択手段による選択に基づいて撮影記録時の撮影条件の設定を行うことを特徴とする撮像装置。
【請求項２】
前記設定条件が、露光条件であることを特徴とする請求項１に記載の撮像装置。
【請求項３】
前記設定条件が、ホワイトバランス又はコントラストの少なくとも一方を含むことを特徴とする請求項１又は２に記載の撮像装置。
【発明の詳細な説明】
【技術分野】
【０００１】
本発明は、固体撮像素子を有する撮像装置に関し、特に表示領域に複数の画像を表示可能な表示手段を備えた撮像装置に関するものである。
【背景技術】
【０００２】
近年、銀塩フィルムを使用するカメラに換わり、被写体光を光電変換する撮像素子を用い、この撮像素子からの出力に所定の処理を施して画像データとし、この画像データを記録媒体に記憶させる電子カメラが一般的になっている。このような電子カメラでは、背面に配置された表示装置に、撮影前の被写体像を表示したり、記録媒体に記憶させた画像データを読み出して表示することができるようになっている。
【０００３】
このような電子カメラで、記録媒体に記憶してある画像と、撮影前の被写体像を同時に表示装置に表示するようにした電子カメラが知られている（例えば、特許文献１又は２参照）。
【特許文献１】特開平５−２２６４２号公報
【特許文献２】特開平１０−３２７３４号公報
【発明の開示】
【発明が解決しようとする課題】
【０００４】
近年、電子カメラは、使用者の利便性を考慮して、カメラ外形は小型薄型化がなされる一方で、背面に配置された表示装置には大型のものが搭載されるようになってきた。例えば、当初１．５インチ程度のものが一般的であったが、２．５インチ等の、より大きな表示装置が内蔵されるようになり、また表示画素数も増大し、より精細な画像の表示がおこなえるようになってきた。
【０００５】
このように、表示装置が大きく、表示が精細になると、記憶してある画像や撮影時に被写体像を単に表示するだけでなく、多画面表示等により撮影時の表示や操作方法に関し、使用者の利便性を考慮した多彩な利用方法が考えられる。
【０００６】
しかしながら、上記特許文献１及び２の電子カメラは、記録媒体に記憶してある画像と、撮影したい被写体像を表示装置に同時に表示するものであり、大型の表示装置を搭載して有効利用するにはいまだ不充分である。
【０００７】
本発明は上記問題を鑑み、多画面表示による使用者の利便性をより向上させた撮像装置を得ることを目的とするものである。
【課題を解決するための手段】
【０００８】
上記の目的は、以下の構成により解決される。
【０００９】
１）  被写体光を導く撮像光学系と、該撮像光学系により導かれた被写体光を光電変換する撮像素子と、表示領域に複数の画像を表示可能な表示手段と、を有し、前記表示手段の表示領域を分割し、標準的な設定条件で得られるプレビュー画像と、前記標準的な設定条件と異なる条件のプレビュー画像を表示し、前記標準的な設定条件で得られるプレビュー画像と、前記標準的な設定条件と異なる条件のプレビュー画像のいずれかを選択する選択手段を備え、前記選択手段による選択に基づいて撮影記録時の撮影条件の設定を行うことを特徴とする撮像装置。
【００１０】
２）  前記設定条件が、露光条件である１）の撮像装置。
【００１１】
３）  前記設定条件が、ホワイトバランス又はコントラストの少なくとも一方を含む１）又は２）の撮像装置。
【発明の効果】
【００１２】
本発明によれば、多画面表示による使用者の利便性をより向上させた撮像装置を得ることが可能となる。
【発明を実施するための最良の形態】
【００１３】
以下、実施の形態により本発明を詳しく説明するが、本発明はこれに限定されるものではない。
【００１４】
図１は、本実施の形態に係る撮像装置の一例であるカメラ１００の外観図である。同図（ａ）はカメラの前面図であり、同図（ｂ）はカメラの後面図である。
【００１５】
同図に示すように、カメラ１００の上側面にはメインスイッチ釦５１とレリーズ釦５２が配置されている。レリーズ釦５２は、その１段の押し込み（以下、スイッチＳ１のＯＮと称す）によりカメラの撮影準備動作が行われ、その２段の押し込み（以下、スイッチＳ２のＯＮと称す）により撮影動作が行われる。
【００１６】
同図（ａ）に示す、６１は前面カバーである。１ｋは屈曲光学系で構成された撮像光学系ユニット（不図示）の被写体光入射開口部である。この被写体光入射開口部１ｋには、バリア部材５３が配置されており、メインスイッチ釦５１の操作に応じて、不図示のアクチュエータによりバリア部材５３は、被写体光入射開口部１ｋの前面を覆う位置と、被写体光入射開口部１ｋを露呈する位置とに移動させられる。被写体光入射開口部１ｋの左側には、フラッシュ反射光受光のためのセンサー窓６３、フラッシュ発光部５４が配置されている。
【００１７】
同図（ｂ）に示す、６２は後面カバーである。５５はズーム釦でありズームアップ、ズームダウンをおこなう釦である。５６はメニュー釦、５７は選択釦で４方向スイッチであり、５８はセット釦である。９０は表示装置であり画像やその他文字情報等を表示する。メニュー釦５６で、表示装置９０上に各種のメニューを表示させ、選択釦５７で選択し、セット釦５８で確定させる機能を有している。５９はメインダイヤルであり、回転させることで、静止画撮影モード、動画撮影モード、再生モード、セットアップモード、プリントモード等が選択できるようになっている。６０は消去釦で、撮影記録した画像の消去をおこなう釦である。
【００１８】
なお、不図示であるが三脚座、ＡＣアダプタの接続端子、外部機器との接続のための接続端子等がカメラ１００の底面に配置され、本カメラの電源を供給する電池の挿脱のための電池蓋、撮影した画像を記録するカード型のリムーバブルメモリカードを挿脱するためのカード蓋等がカメラ１００の側面に配置されている。
【００１９】
図２は、本実施の形態に係るカメラ１００の内部構成の一例を示す概略ブロック図である。なお、本発明は、撮像素子としてＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が適用可能であるが、本例においては、撮像素子としてＣＣＤ型イメージセンサを用いたもので説明する。
【００２０】
同図において、４０は各部を制御する制御部（以下、ＣＰＵとも称す）である。撮像レンズ８１は、レンズ部１、絞りシャッターユニット２、赤外光カットフィルタとオプチカルローパスフィルタを積層した光学フィルタ３、第１モータ４、第２モータ５及び絞りシャッタアクチュエータ６で構成されている。
【００２１】
レンズ部１は、より詳しくは複数のレンズを有する撮像光学系であり、複数のレンズの光軸上の位置を第１モータ４を駆動することにより移動させ、変倍がおこなわれるようになっている。また、これら複数のレンズの内、フォーカシングに用いられるレンズは、第２モータ５により駆動され焦点調節がおこなわれる。更に、絞りシャッターユニットは絞りシャッタアクチュエータ６により開閉し、露光量の調定がなされる。この、第１モータ４、第２モータ５、絞りシャッタアクチュエータ６は、それぞれＣＰＵ４０からの制御信号により制御される第１モータ駆動回路７、第２モータ駆動回路８、絞りシャッタ駆動回路９を介して駆動される。
【００２２】
タイミングジェネレータ１０は、タイミング制御回路１１から送られるクロックに基づきＣＣＤ１２の駆動制御信号を生成するものであり、例えばＣＣＤ１２の電荷の蓄積開始と終了のタイミング信号、各画素の電荷蓄積量の読み出し制御信号（水平同期信号、垂直同期信号、転送信号）等のクロック信号を生成しＣＣＤ１２へ出力する。撮像回路１３は、ＣＣＤ１２により被写体光が光電変換され、例えば原色系のフィルタが用いられたＣＣＤの場合、Ｒ（赤）、Ｇ（緑）、Ｂ（青）の各色成分の画像アナログ信号を信号処理部１４へ出力する。
【００２３】
信号処理部１４は、撮像回路１３から出力された画像アナログ信号に信号処理を施すものである。信号処理部１４においては、相関二重サンプリング（ＣＤＳ）、オートゲインコントロール（ＡＧＣ）により画像アナログ信号のノイズ低減とゲイン調整をおこないＡ／Ｄ変換部１５へ出力する。
【００２４】
Ａ／Ｄ変換部１５では、タイミング制御回路１１からのＡ／Ｄ変換用クロックに基づき、入力された画像アナログ信号をＡ／Ｄ変換し、デジタル信号（以下、画素データと称す）に変換する。次いで、画素データをバッファメモリ１６に格納した後、ＣＰＵ４０に画素データを送り、ＣＰＵ４０では画素データの黒レベル補正をおこなった後、ホワイトバランス（ＷＢ）の調整、γ補正、ＹｃｂＣｒ変換が行われる。
【００２５】
ＶＲＡＭ１７は、表示装置９０で表示する画像のバッファメモリであり、少なくとも表示装置９０の画素数と表示に必要なビット数の積算値以上の記憶容量を有しており、後述のＣＰＵ４０で生成される表示用画像データが記憶される。表示装置９０には、例えばＬＣＤ、有機ＥＬ等の表示装置が用いられる。なお、使用される表示装置に応じ、ＶＲＡＭ１７と表示装置９０の間に、画素データをＤ／Ａ変換するＤ／Ａ変換部が設けられる。
【００２６】
これにより、撮影時のフレーミング時には、所定時間間隔で撮像された画素データがバッファメモリ１６に記憶されると共に、ＶＲＡＭ１７へ転送され、表示装置９０に表示がおこなわれ、被写体像を確認することができ、ファインダとして使用できる（スルー画像表示又はプレビュー画像表示と称す）ようになっている。
【００２７】
また、挿脱可能な画像記録媒体であるメモリカード５０に記録された撮影済みの画像データは、圧縮伸張回路４９へ転送され、ＣＰＵ４０で所定の信号処理後にＶＲＡＭ１７へ転送され、表示装置９０に表示がおこなわれ、撮影済み画像の再生が可能となっている。
【００２８】
インターフェイス３２は、外部のパーソナルコンピュータ或いはプリンタ等と信号の授受をおこなうもので、外部入出力端子（例えばＵＳＢ端子）８８を介して、外部のパーソナルコンピュータ或いはプリンタ等と通信を行うものである。
【００２９】
フラッシュ制御回路２１は、フラッシュ発光部５４の発光を制御する回路である。フラッシュ制御回路２１は、ＣＰＵ４０により制御され、フラッシュ発光の有無、発光タイミング、発光用コンデンサへの充電等を制御すると共に、フラッシュ反射光受光用センサ２３に接続された受光回路２４から入力される発光停止信号に基づき発光を停止させるようになっている。
【００３０】
時計回路２５は、撮影された日時を管理するものであり、各部へ電源を供給する給電回路２７から電源供給を受けて作動するようにしてもよいが、図示しない別電源で作動させることが望ましい。
【００３１】
ＣＰＵ４０及び各部への電力供給は給電回路２７によっておこなわれる。この給電回路２７には、電池２６或いは、ＤＣ入力端子２８を介しＡ／Ｃアダプタ２９から電力が供給される。
【００３２】
操作スイッチ群（以下操作ＳＷ群とも称す）３０は、例えばメインスイッチ、レリーズ釦、ズーム釦、メニュー釦、セット釦、選択釦等の各種操作釦によりＯＮ／ＯＦＦするスイッチ群及びメインダイヤルを含むスイッチ群である。この操作ＳＷ群３０のＯＮ／ＯＦＦの信号は、ＣＰＵ４０に送られ、ＣＰＵ４０はＯＮされた操作ＳＷに応じて各部の動作を制御することになる。
【００３３】
ＥＥＰＲＯＭ３１は、不揮発性のメモリであり、カメラの個々に異なる特性値を記憶させておくために用いられる。この個々に異なる特性値とは、例えば撮像レンズ８１の各焦点距離におけるフォーカシングレンズの無限位置の情報等であり、製造工程内で書き込まれるものである。この、カメラ個々に異なる特性値を、ＣＰＵ４０は必要に応じＥＥＰＲＯＭ３１から読み出し、各部の制御に利用するようになっている。
【００３４】
なお、ＣＰＵ４０は、ＲＯＭ２０に格納されたソフトウェアに基づき、データの授受、各部のタイミング制御をおこなうのみならず、その他種々の機能をおこなうものとなっている。例えば、撮影記録時の絞り値とシャッタ速度の露光条件の決定（ＡＥ準備動作）、フォーカシングレンズを小刻みに移動させ、それぞれで得られた画素データから画像データを生成し、この画像データに基づいて評価をおこない最適なフォーカシングレンズ位置を決定する焦点調節（ＡＦ動作）制御等を行うものである。また、以降に述べる本発明の各モードにおける表示用画像データの生成もＣＰＵ４０で処理される。
【００３５】
以上が、本実施の形態に係るカメラ１００の内部ブロック構成である。
【００３６】
図３は、本実施の形態に係るカメラ１００で使用される各モードへの移行動作を示すフローチャートである。以下、同図に示すフローに従い説明する。
【００３７】
同図において、まずメインスイッチがＯＮされる（ステップＳ１０１）と、メインダイヤルがどこにセットされているかを確認する。
【００３８】
まず、メインダイヤルが静止画撮影モードにセットされているかどうか判断する（ステップＳ１０２）。静止画撮影モードにセットされている場合（ステップＳ１０２；Ｙｅｓ）は、静止画撮影モード処理へ移行する（ステップＳ１１２）。
【００３９】
静止画撮影モードにセットされていない場合（ステップＳ１０２；Ｎｏ）は、動画撮影モードにセットされているかどうか判断する（ステップＳ１０３）。動画撮影モードにセットされている場合（ステップＳ１０３；Ｙｅｓ）は、動画撮影モード処理へ移行する（ステップＳ１１３）。
【００４０】
動画撮影モードにセットされていない場合（ステップＳ１０３；Ｎｏ）は、再生モードにセットされているかどうか判断する（ステップＳ１０４）。再生モードにセットされている場合（ステップＳ１０４；Ｙｅｓ）は、再生モード処理へ移行する（ステップＳ１１４）。
【００４１】
再生モードにセットされていない場合（ステップＳ１０４；Ｎｏ）は、プリントモードにセットされているかどうか判断する（ステップＳ１０５）。プリントモードにセットされている場合（ステップＳ１０５；Ｙｅｓ）は、プリントモード処理に移行する（ステップＳ１１５）。
【００４２】
プリントモードにセットされていない場合（ステップＳ１０５；Ｎｏ）は、セットアップモードに移行する（ステップＳ１０６）。
【００４３】
なお、本例では、メインダイヤルで静止画撮影モード、動画撮影モード、再生モード、プリントモード、セットアップモードの４種を設定する例で説明したが、より多種のモードを設定するようなカメラであってもよいし、判断順序もこれに限るものでない。また、メインダイヤルでの設定でなく選択メニューを表示装置に表示させ、これから選択するようなカメラであってもよい。
【００４４】
次に、静止画撮影モード処理について、より詳しく説明する。
【００４５】
図４は、本実施の形態に係るカメラ１００の静止画撮影モード時の動作概略を示すフローチャートである。以下、同図に示すフローに従い説明する。
【００４６】
静止画撮影モードに入ると、撮像素子、撮像回路、信号処理部、Ａ／Ｄ変換部等の撮像部の駆動を開始し（ステップＳ２０１）、画像表示装置でプレビュー表示を行う（ステップＳ２０２）。
【００４７】
図５は、静止画撮影モード時のプレビュー表示の一例を示す図である。同図に示すように、表示装置９０の中央上部にリアルタイムで得られるプレビュー画像を表示し、下方には、小画面で過去に撮影されメモリカードに記録された、記録済の静止画１、記録済の静止画２、記録済の静止画３、が表示される。なお、従来と同様に、画面全体を用いてプレビュー画像を表示してもよい。
【００４８】
図４に戻り、次いで、マニュアル撮影モードか判断する（ステップＳ２０３）。マニュアル撮影モードの場合（ステップＳ２０３；Ｙｅｓ）は、マニュアル設定画面の表示を行う（ステップＳ２２０）。
【００４９】
図６は、ステップＳ２２０における、マニュアル設定画面の表示の一例を示す図である。同図に示すように、表示装置９０の中央上部にリアルタイムで得られるプレビュー画像を表示し、下方にマニュアル設定可能な設定条件の項目が共に表示される。図示では、露光条件である露出補正、ホワイトバランス、コントラスト補正の項目が表示されている。
【００５０】
図４に戻り、次いで、図６に示すマニュアル設定画面で、設定項目から使用者が選択するのを待機する（ステップＳ２２１）。設定項目が選択される（ステップＳ２２１；Ｙｅｓ）と、設定変更値の選択を行う画面を表示する（ステップＳ２２２）。
【００５１】
図７は、ステップＳ２２２で露出補正が選択された場合の表示画面の例を示す図である。同図に示すように、画面を例えば４分割し、リアルタイムで得られる標準的な設定条件のプレビュー画像に対し、＋０．５Ｅｖ補正した場合のプレビュー画像、−０．５Ｅｖ補正した場合のプレビュー画像、−１Ｅｖ補正した場合のプレビュー画像を表示する。なお、この補正量については設定可能であることが好ましく、１／３Ｅｖ刻み、１Ｅｖ刻み等が設定可能である。
【００５２】
なお、ここでいう標準的な設定条件のプレビュー画像とは、例えば公知のプレビュー表示動作の、逐次変化する被写体に対し適正となる絞り値やシャッタ速度で得られる画像データに基づいて表示される画像を指している。また、各々のＥｖ補正したプレビュー画像とは、上記の標準的な設定条件で得られた上述の画像データに対して所定の信号処理を行い、＋０．５Ｅｖ補正して撮影した場合と同等の画像データや、同様に−０．５Ｅｖ補正して撮影した場合、−１Ｅｖ補正して撮影した場合と同等の画像データを新たに生成し（例えば、ＹＣｂＣｒ変換後のＹ値を補正したり、γ値を補正する等の公知の方法）、この生成された画像データに基づいて表示される画像を指している。
【００５３】
また、図示しないが、ホワイトバランス或いはコントラスト補正が選択された場合には、同様に画面を例えば４分割し、リアルタイムで得られる標準的な設定条件のホワイトバランス或いはコントラストのプレビュー画像と、標準的な設定条件と異なる条件のホワイトバランス或いはコントラストのプレビュー画像が表示される。
【００５４】
なお、ホワイトバランスにおける標準的な設定条件とは、直接的又は画像データ等から間接的に光源を判別し、その光源に対して自動的に調整が行われたホワイトバランスを指し、標準的な設定条件と異なる条件とは、例えば白熱灯、蛍光灯等の光源下で良好となるホワイトバランスを指している。
【００５５】
また、コントラストにおける標準的な設定条件とは、カメラで初期設定されているコントラスト（例えば、被写体の黒い部分はより黒く表現し、メリハリをつけた表現）を指し、標準的な設定条件と異なる条件とは、コントラスト強め（例えば、被写体の白い部分はとばして白い部分はより白く、黒い部分はより黒くした表現）や、コントラスト弱め（例えば、被写体の白い部分の白飛びと、黒い部分の黒つぶれを減らした表現）の画像処理条件を指している。
【００５６】
なお、以上の処理は、本実施の形態のカメラでは主に制御部であるＣＰＵ４０と信号処理部１４で行われている。
【００５７】
また、詳細な説明は行わないが、マニュアル設定で設定できる項目としては、他に、例えばシャープネス、画像データの圧縮率、電子ズームの倍率、トリミング位置の指定等、公知のいずれの項目でもよい。
【００５８】
ステップＳ２２１及びステップＳ２２２での選択は、例えば選択釦５７で画像を選択させ、セット釦５８で決定するようにしてもよいし、表示装置９０の表面をタッチパネルで構成し、画像を指で指定するようにしてもよい。なお、選択された画像の画枠の色を変更したり、画枠の線を太くする等でどれが選択されたかを表示することが好ましい
ステップＳ２２２で選択が終了することにより、本撮影時の条件が決定される。なお、ここで選択がなされない場合には、標準的な設定条件で得られる被写体像が選択されたと見なすように構成されていることが好ましい。また、ステップＳ２２２での選択が終了すると、図５に示すプレビュー表示に戻るが、この時のプレビュー画像はステップＳ２２２で決定された設定条件に基づくプレビュー画像が表示される。
【００５９】
次いで、再度メインスイッチのＯＮを判断する（ステップＳ２０４）。メインスイッチがＯＦＦされた場合（ステップＳ２０４；Ｎｏ）には、プレビュー表示を停止させ（ステップＳ２３０）、撮像部の駆動を停止（ステップＳ２３１）させて終了する。
【００６０】
メインスイッチがＯＮの場合（ステップＳ２０４；Ｙｅｓ）には、再度、静止画撮影モードであるか判断する（ステップＳ２０５）。静止画撮影モード以外のモードに切り替えられた場合（ステップＳ２０５；Ｎｏ）には、他の切り替えられたモードへ移行する（ステップＳ２４０）。
【００６１】
静止画撮影モードである場合（ステップＳ２０５；Ｙｅｓ）は、スイッチＳ１がＯＮされているか判断する（ステップＳ２０６）。スイッチＳ１がＯＮされていない場合（ステップＳ２０６；Ｎｏ）は、ステップＳ２０３へ戻る。
【００６２】
スイッチＳ１がＯＮされる（ステップＳ２０６；Ｙｅｓ）と、撮影準備動作（ステップＳ２０７）を行う。
【００６３】
ステップＳ２０７の撮影準備動作に入ると、ＡＦ動作とＡＥ準備動作を行う。ＡＦ動作は、例えば、フォーカシングレンズを小刻みに移動させつつ画像を取り込み、得られた画像を評価し最もピントが合っていると評価された画像の得られた位置にフォーカシングレンズを移動し停止させるものである。
【００６４】
ＡＥ準備動作は、絞り値と撮像素子の蓄積時間との組み合わせにより得られた撮像素子のゲインから、標準的な撮像素子出力の画像が得られる絞り値とシャッタ速度及び撮像素子感度の組み合わせを、本撮影に備えて予め決めておくものである。例えば本例では、被写体平均輝度が撮像素子出力範囲の中央値となるような絞り値とシャッタ速度及び撮像素子感度の組み合わせが、標準的な露光条件とされている。
【００６５】
この後、ステップＳ２２２で露出補正の選択が行われている場合には、ＡＥ準備動作で得られた絞り値とシャッタ速度及び撮像素子感度の組み合わせから、選択された露出補正量だけ補正した露光条件で、本撮影に備えることになる。
【００６６】
この後、スイッチＳ２がＯＮされるのを待機する（ステップＳ２０８）。スイッチＳ２がＯＮされた場合（ステップＳ２０８；Ｙｅｓ）には、上記撮影準備動作時に決定された露光条件で撮影動作が実行され（ステップＳ２１０）、メモリーカードに撮影した画像データを記録（ステップＳ２１１）し、撮影した画像を画像表示部に所定時間アフタービュー表示（ステップＳ２１２）した後、ステップＳ２０２のプレビュー表示に戻る。以上で、１駒の撮影が終了する。
【００６７】
アフタービュー表示では、図５に示す記録済静止画１の位置に表示してもよいし、中央上部のプレビュー画像を表示する位置を用いて所定時間だけ表示するようにしてもよい。
【００６８】
なお、ステップＳ２０７以降はステップＳ２２１及びＳ２２２で露光補正された場合の例で説明したが、ホワイトバランスやコントラスト補正が選択されている場合には、この選択に基づいて撮影画像の処理を行い、メモリーカードに画像データを記録する。
【００６９】
以上が本実施の形態に係るカメラ１００の静止画撮影モード時の動作概略である。
【００７０】
以上説明したように、表示手段に、標準的な設定条件で得られるプレビュー画像と、標準的な設定条件と異なる条件のプレビュー画像を表示し、標準的な設定条件で得られるプレビュー画像と、標準的な設定条件と異なる条件のプレビュー画像のいずれかを選択するよう構成することで、設定条件の変更を数値だけでなく、撮影後の結果に近い状態を予め見ながら選択することが可能となり、使用者の利便性をより向上させた撮像装置とすることができる。
【００７１】
なお、上記の実施の形態では、各モードにおける表示用画像データの生成がＣＰＵ４０で行われ、生成された画像データはＶＲＡＭ１７へ転送されて表示装置９０で表示を行うもので説明したが、これに限るものでなく、各モードにおける表示用画像データの生成を行う表示画像生成用の回路を設け、ＣＰＵ４０からの指示により同様の処理を行うよう構成してもよい。
【００７２】
また、上記の実施の形態における表示例として、中央上部にリアルタイムで得られるプレビュー画像を表示し、下方を横方向に３分割して小画面で３つの静止画像を表示した例で説明したが、これに限るものでなく、画面左側にリアルタイムで得られるプレビュー画像を表示し、画面右側を縦方向に３分割して小画面で３つの静止画像を表示するように構成してもよい。また、設定変更値の選択画面の表示形式も４分割に限るものでないのは勿論である。
【図面の簡単な説明】
【００７３】
【図１】本実施の形態に係る撮像装置の一例であるカメラの外観図である。
【図２】本実施の形態に係るカメラの内部構成の一例を示す概略ブロック図である。
【図３】本実施の形態に係るカメラで使用される各モードへの移行動作を示すフローチャートである。
【図４】本実施の形態に係るカメラの静止画撮影モード時の動作概略を示すフローチャートである。
【図５】静止画撮影モード時のライブビュー表示の一例を示す図である。
【図６】ステップＳ２２０における、マニュアル設定画面の表示の一例を示す図である。
【図７】ステップＳ２２２で露出補正が選択された場合の表示画面の例を示す図である。
【符号の説明】
【００７４】
５１  メインスイッチ釦
５２  レリーズ釦
５３  バリア部材
５４  フラッシュ発光部
５５  ズーム釦
５６  メニュー釦
５７  選択釦
５８  セット釦
５９  メインダイヤル
６０  消去釦
６１  前面カバー
６２  後面カバー
６３  センサー窓
９０  表示装置
１００  カメラ
【図１】
2007081629.tif 000003
【図２】
2007081629.tif 000004
【図３】
2007081629.tif 000005
【図４】
2007081629.tif 000006
【図５】
2007081629.tif 000007
【図６】
2007081629.tif 000008
【図７】
2007081629.tif 000009